(57)【特許請求の範囲】
【請求項１】
原稿に光を照射する蛍光灯と、
前記原稿からの反射光を受光するセンサと、
読取要求の入力を受け付ける受付部と、
前記蛍光灯を点灯させ前記センサにより前記原稿を読み取る読取動作の終了後、前記読取要求の入力が無い状態で前記蛍光灯の光量を下げる切替条件が成立する場合に前記蛍光灯の光量を下げる制御手段と、
前記蛍光灯が稼働された量が大きい程、前記切替条件を成立し難い条件に変更する変更手段と、
を備える画像読取装置。
【請求項２】
原稿に光を照射する蛍光灯と、
前記原稿からの反射光を受光するセンサと、
読取要求の入力を受け付ける受付部と、
前記読取要求の入力が有るまでの間に前記蛍光灯の光量を上げる切替条件が成立する場合に前記蛍光灯の光量を上げる制御手段と、
前記蛍光灯の使用頻度が高い程、前記切替条件を成立し易い条件に変更する変更手段と、
を備える画像読取装置。
【請求項３】
原稿に光を照射する蛍光灯と、
前記原稿からの反射光を受光するセンサと、
読取要求の入力を受け付ける受付部と、
前記蛍光灯を点灯させ前記センサにより前記原稿を読み取る読取動作の終了後、前記読取要求の入力が無い状態で前記蛍光灯の光量を下げる切替条件が成立する場合に前記蛍光灯の光量を下げる制御手段と、
前記蛍光灯の使用頻度が高い程、前記切替条件を成立し難い条件に変更する変更手段と、
を備える画像読取装置。
【請求項４】
請求項１に記載の画像読取装置において、
前記切替条件は、前記蛍光灯を消灯させる条件であって、前記蛍光灯が稼働された量が大きい程、前記蛍光灯を消灯させる条件が成立し難い条件に変更され、
前記制御手段は、前記読取動作を実行する際に前記蛍光灯を通常点灯状態とし、前記読取動作の終了後に前記蛍光灯が稼働された量が基準未満である場合に、前記蛍光灯を消灯させる条件が成立する前に前記通常点灯状態の前記蛍光灯を前記通常点灯状態よりも低い光量で点灯させる省電力点灯状態に切り替える、画像読取装置。
【請求項５】
請求項３に記載の画像読取装置において、
前記切替条件は、前記蛍光灯を消灯させる条件であって、前記蛍光灯の使用頻度が高い程、前記蛍光灯を消灯させる条件が成立し難い条件に変更され、
前記制御手段は、前記読取動作を実行する際に前記蛍光灯を通常点灯状態とし、前記読取動作の終了後に前記蛍光灯の使用頻度が基準未満である場合に、前記蛍光灯を消灯させる条件が成立する前に前記通常点灯状態の前記蛍光灯を前記通常点灯状態よりも低い光量で点灯させる省電力点灯状態に切り替える、画像読取装置。
【請求項６】
請求項１から請求項５のいずれか一項に記載の画像読取装置において、
前記変更手段による前記切替条件の変更が行われたことを報知する報知手段を備える、画像読取装置。
【請求項７】
請求項２に記載の画像読取装置において、
前記変更手段は、前記蛍光灯の光量を上げる切替条件として、当該画像読取装置の電源投入時に消灯状態の前記蛍光灯を点灯する条件を変更する、画像読取装置。
【発明の詳細な説明】
【技術分野】
【０００１】
本発明は、画像読取装置に関し、特に光源として蛍光灯を用いる画像読取装置に関する。
【背景技術】
【０００２】
従来より読取動作を行う際の光源として蛍光灯を用いる画像読取装置が知られている。一般に、蛍光灯は点灯させてから読み取りに適した安定した光量となるまでに時間がかかる。そこで、例えば、装置の電源投入後に読取指示が入力されていない状態で蛍光灯を点灯させたり、あるいは、読取動作の終了後に蛍光灯を一定期間点灯させたままとしたりすることで、ユーザにより読み取りが指示されたときに速やかに動作を実行できるようにしている。従来では、このような蛍光灯の点灯・消灯状態の切り替えは一定の条件に基づいて行われている。
【特許文献１】特開平５−３４８４４号公報
【発明の開示】
【発明が解決しようとする課題】
【０００３】
ところで、ユーザが読取動作を頻繁に行う場合には、読取動作後に長時間蛍光灯を点灯させたままにしておけば利便性が高いが、ユーザが読取動作を頻繁に行わない場合には、そのようにすると消費電力がかさむという不利益の方が大きくなる。一方、蛍光灯は点灯・消灯を繰り返すことにより劣化するが、例えば蛍光灯の寿命が近いときに点灯・消灯を繰り返すとユーザが交換を行うより前に蛍光灯の劣化が進んで読取品質に悪影響を与える等の不都合が生じる可能性がある。このように蛍光灯の点灯・消灯状態をどのように切り替えるのが望ましいかはユーザの要求や蛍光灯の使用状況等に応じて変化するが、上記従来の構成では状況等に応じた切り替えを行うことができなかった。
【０００４】
本発明は上記のような事情に基づいて完成されたものであって、蛍光灯の点灯状態の切り替えを使用状況等に応じて適切に行うことが可能な画像読取装置を提供することを目的とする。
【課題を解決するための手段】
【０００５】
上記の目的を達成するための手段として、第１の発明に係る画像読取装置は、原稿に光を照射する蛍光灯と、原稿からの反射光を受光するセンサと、前記蛍光灯の光量を切り替える切替条件を変更する変更手段と、前記変更手段により設定された切替条件に従って前記蛍光灯の点灯状態を制御する制御手段と、を備える。
【０００６】
第１の発明によれば、蛍光灯の点灯状態を切り替える切替条件を変更することができる。従って、例えばユーザの利便性や、電力消費、あるいは蛍光灯の残り寿命等のバランスに応じて適宜切替条件を設定することで、点灯状態の切り替えを適切に行うことができる。
【０００７】
第２の発明は、第１の発明において、前記変更手段は、前記蛍光灯の稼働量に応じて前記切替条件を変更するとともに、前記稼働量が大きい程、前記切替条件を厳しくする。
【０００８】
第２の発明によれば、蛍光灯の稼働量が大きい、即ち寿命が近いような場合には、点灯状態の切替条件を厳しくする。これにより、点灯状態を切り替える頻度が下がり、蛍光灯の劣化の進行を遅らせることができる。
【０００９】
第３の発明は、第１または第２の発明において、前記変更手段は、前記蛍光灯の使用頻度に関する情報に基づいて前記切替条件を変更するとともに、前記使用頻度が高い程、前記蛍光灯の光量を上げる切替条件を緩和する。
【００１０】
第３の発明によれば、蛍光灯の使用頻度が高い場合には、蛍光灯の光量を上げる切替条件を緩和することで、ユーザが読取動作を速やかに実行することができる可能性が高くなる。逆に、蛍光灯の使用頻度が低い場合には、蛍光灯の光量を上げる切替条件を厳しくすることで電力消費を抑えることができる。
【００１１】
第４の発明は、第１から第３のいずれかの発明において、前記変更手段は、前記蛍光灯の使用頻度に関する情報に基づいて前記切替条件を変更するとともに、前記使用頻度が高い程、前記蛍光灯の光量を下げる切替条件を厳しくする。
【００１２】
第４の発明によれば、蛍光灯の使用頻度が高い場合には、蛍光灯の光量を下げる切替条件を厳しくすることで、ユーザが読取動作を速やかに実行することができる可能性が高くなる。逆に、蛍光灯の使用頻度が低い場合には、蛍光灯の光量を下げる切替条件を緩和することで電力消費を抑えることができる。
【００１３】
第５の発明は、第１から第４のいずれかの発明において、前記制御手段は、前記読取動作の非実行時に前記蛍光灯を点灯状態とする場合に、前記蛍光灯を読取動作時の光量で点灯させる通常点灯状態から読取動作時よりも低い光量で点灯させる省電力点灯状態に切り替える。
【００１４】
第５の発明によれば、蛍光灯の劣化の進行を遅らせたり、読取動作の開始を待機したりするために、読取動作の非実行時に蛍光灯を点灯させる場合に、蛍光灯を読取動作時よりも低光量で点灯させることで不要な電力消費を抑えることができる。
【００１５】
第６の発明は、第１から第５のいずれかの発明において、前記変更手段による前記切替条件の変更が行われたことを報知する報知手段を備える。
【００１６】
第６の発明によれば、動作状態が変更されたことをユーザが把握することができる。
【発明の効果】
【００１７】
本発明によれば、蛍光灯の点灯状態を切り替える切替条件を変更することができる。従って、例えばユーザの利便性や、電力消費、あるいは蛍光灯の残り寿命等のバランスに応じて適宜切替条件を設定することで、点灯状態の切り替えを適切に行うことができる。
【発明を実施するための最良の形態】
【００１８】
＜実施形態１＞
次に本発明の実施形態１について図１から図４を参照して説明する。
【００１９】
（複合機の構成）
本実施形態では、本発明をスキャナ機能、プリンタ機能、コピー機能、ファクシミリ機能等を備えた複合機１（画像読取装置の一例）に適用した例を示す。図１は、複合機１の外観斜視図であり、図２は、原稿読取部３の要部拡大断面図である。
【００２０】
複合機１は、図１に示すように、用紙に画像を印刷する画像形成部３８（図３参照）を収容した本体部２を備え、その上方に原稿を読み取る原稿読取部３を備えている。原稿読取部３の前側には、操作パネル４（報知手段の一例）が設けられ、この操作パネル４により動作状態等の表示や、ユーザによる操作の入力が可能となっている。
【００２１】
原稿読取部３は、フラットベッド部６とその上方を開閉可能に覆う原稿カバー部７とを備えている。フラットベッド部６の上面には、透明な長方形状をなす、第１プラテンガラス８と第２プラテンガラス９とが並んで設けられている。原稿カバー部７は、ＡＤＦ（自動原稿供給装置）１１、原稿トレイ１２、排出トレイ１３を備えている。ＡＤＦ１１は、原稿トレイ１２に載置された原稿を一枚ずつ搬送して、その原稿を第２プラテンガラス９に対向する位置に搬送した後、排出トレイ１３上に排出する。
【００２２】
第１プラテンガラス８の下側には、読取ヘッド１４が設けられている。この読取ヘッド１４は、ＣＩＳ（Contact Image Sensor）やＣＣＤ等のイメージセンサ１５（センサの一例）、レンズ等からなる光学素子１６、光源としての蛍光灯１７を備えている。イメージセンサ１５は、主走査方向（紙面に直交方向）に一列に並んで配置された複数のフォトダイオードを備えており、蛍光灯１７より原稿に光を当てたときの反射光を光学素子１６を介して個々のフォトダイオードで受光し、画素毎に反射光の光強度（明度）を電気信号に変換して出力する。
【００２３】
原稿の読み取りは、原稿を第１プラテンガラス８上に載置して行う場合と、ＡＤＦ１１を利用する場合とがある。前者の場合、読取ヘッド１４が副走査方向（図２の矢線Ａ方向）に移動され、その際に主走査方向（図２の紙面に直交する方向）に１ラインずつ原稿の読み取りが行われる。また、後者の場合には、読取ヘッド１４が第２プラテンガラス９に対向する位置に固定され、原稿がＡＤＦ１１の駆動によって第２プラテンガラス９に対向する位置に搬送されたときに、原稿の読み取りが主走査方向に１ラインずつ行われる。
【００２４】
（複合機の電気的構成）
次に、複合機１の電気的構成について説明する。図３は、複合機１の電気的構成を概略的に示すブロック図である。
【００２５】
複合機１は、ＣＰＵ３１、ＲＯＭ３２、ＲＡＭ３３、ＮＶＲＡＭ（不揮発性メモリ）３４、ＡＳＩＣ３５、ネットワークインターフェイス３６、ファクシミリインターフェイス３７等を備えて構成された制御装置３０を備えている。
【００２６】
ＲＯＭ３２には、複合機１を制御するための各種制御プログラムや各種設定、初期値等が記憶されている。ＲＡＭ３３は、各種制御プログラムが読み出される作業領域として、あるいは画像データを一時的に記憶する記憶領域として用いられる。ＡＳＩＣ３５は、既述の画像形成部３８、原稿読取部３、操作パネル４等と接続されている。ＣＰＵ３１（変更手段、制御手段の一例）は、ＲＯＭ３２から読み出した制御プログラムに従って、その処理結果をＲＡＭ３３又はＮＶＲＡＭ３４に記憶させながら、ＡＳＩＣ３５を介して複合機１の各構成要素を制御する。
【００２７】
ネットワークインターフェイス３６には、コンピュータ等が接続され、このネットワークインターフェイス３６を介して相互のデータ通信が可能となっている。また、ファクシミリインターフェイス３７は、電話回線（図示せず）に接続され、このファクシミリインターフェイス３７を介して外部のファクシミリ装置等とファクシミリデータの通信が可能となっている。
【００２８】
（点灯制御処理）
次に蛍光灯１７の点灯状態を制御する点灯制御処理の動作について説明する。図４は、点灯制御処理の流れを示すフローチャートである。
【００２９】
点灯制御処理は、複合機１の電源投入時にＣＰＵ３１の制御により実行される。ＣＰＵ３１は、点灯制御処理を開始すると、まず蛍光灯１７の切替回数（蛍光灯の稼働量の一例）が所定の寿命切替回数に到達したかを判断する（Ｓ１０１）。なお、ＮＶＲＡＭ３４には蛍光灯１７のオン・オフの切替回数が記憶されており、ＣＰＵ３１は、蛍光灯１７のオン・オフを行う度にその切替回数の値を１つ増加させる。
【００３０】
そして、ＣＰＵ３１は、蛍光灯１７の切替回数が寿命切替回数に到達している場合（Ｓ１０１：Ｙｅｓ）には、蛍光灯１７の寿命が近いため蛍光灯１７の交換を行うべき旨と、蛍光灯１７の点灯状態を切り替える切替条件の変更が行われる（後述する）旨とをユーザに報知するメッセージを操作パネル４のディスプレイに表示する（Ｓ１０２）。なお、このようなメッセージの内容は、例えば、ネットワークを介して接続されたコンピュータ等に通知するようにしても良い。
【００３１】
そして、読取要求の入力を待機し（Ｓ１０３）、ユーザにより操作パネル４から読取要求が入力された場合（Ｓ１０３：Ｙｅｓ）には、蛍光灯１７を読取動作時の光量で点灯させ（Ｓ１０４、通常点灯状態）、読取ヘッド１４にて原稿の読取動作を行う（Ｓ１０５）。続いて、他の読取要求があるかを判断し（Ｓ１０６）、他の読取要求があれば場合（Ｓ１０６：Ｙｅｓ）には、Ｓ１０５に戻り、新たに読取動作を行う。なお、この場合、省電力点灯状態（Ｓ１１０）であれば（Ｓ３０１：Ｙｅｓ）、通常点灯状態にして（Ｓ３０２）、Ｓ１０５に戻る。
【００３２】
また、ＣＰＵ３１は、Ｓ１０１において、蛍光灯１７の切替回数が寿命切替回数に到達していない場合（Ｓ１０１：Ｎｏ）には、蛍光灯１７を読取動作時の光量で点灯させ（Ｓ１０７、通常点灯状態）、Ｓ１０６に進んで読取要求があるかを判断する。即ち、この場合には、読取要求が入力される前に蛍光灯１７を点灯して読取動作を行う。
【００３３】
Ｓ１０６にて、読取要求の入力がない場合（Ｓ１０６：Ｎｏ）には、読取要求の入力がない状態で、所定のスリープ動作までの待機時間（例えば５分）が経過したかを判断し（Ｓ１０８）、経過していない場合（Ｓ１０８：Ｎｏ）には、Ｓ１０６に戻り、読取要求の入力を待機する。読取要求の入力がないまま、スリープ動作までの待機時間が経過した場合（Ｓ１０８：Ｙｅｓ）には、蛍光灯１７の切替回数が寿命切替回数に到達したかを判断する（Ｓ１０９）。
【００３４】
そして、ＣＰＵ３１は、蛍光灯１７の切替回数が寿命切替回数に到達していない場合（Ｓ１０９：Ｎｏ）には、蛍光灯１７を読取動作時よりも低い光量で点灯させる省電力点灯（スリープ動作）を行う（Ｓ１１０）。さらに、この場合には、短時間点灯モードの動作を行う。この短時間点灯モードでは、読取要求の入力がない状態で、所定時間、ここでは３０分が経過したか否か（切替条件の一例）を判断し（Ｓ１１１）、３０分経過していない場合（Ｓ１１１：Ｎｏ）には、Ｓ１０６に戻り、読取要求の入力を待機する。また、読取要求の入力がないまま３０分が経過した場合（Ｓ１１１：Ｙｅｓ）には、蛍光灯１７を消灯し（Ｓ１１２）、Ｓ１０３に進んで読取要求の入力を待機する。
【００３５】
Ｓ１０９において、蛍光灯１７の切替回数が寿命切替回数に到達している場合（Ｓ１０９：Ｙｅｓ）には長時間点灯モードの動作を行う。この長時間点灯モードでは、読取要求の入力がない状態で、短時間点灯モードのときよりも長い所定時間、ここでは１６時間が経過したか否か（切替条件の一例）を判断し（Ｓ１１３）、１６時間が経過していない場合（Ｓ１１３：Ｎｏ）には、Ｓ１０６に戻り、読取要求の入力を待機する。また、読取要求の入力がない状態で、１６時間が経過した場合（Ｓ１１３：Ｙｅｓ）には、Ｓ１１２に進んで蛍光灯１７を消灯し、その後、Ｓ１０３にて読取要求の入力を待機する。
【００３６】
（本実施形態の効果）
本実施形態によれば、蛍光灯１７の点灯状態を切り替える切替条件を変更することができる。即ち、本実施形態では、点灯状態で読取要求の入力がないときに、３０分経過後に消灯するという短時間点灯モードの切替条件と、１６時間経過後に消灯するという長時間点灯モードの切替条件とを、互いに切り替えつつ点灯状態の制御を行う。また、電源投入時に蛍光灯１７を直ちに点灯するという切替条件と、読取要求の入力後に蛍光灯１７を点灯するという切替条件とを、互いに切り替えつつ点灯状態の制御を行う。このように、例えばユーザの利便性や、電力消費、あるいは蛍光灯の残り寿命等のバランスに応じて適宜切替条件を設定することで、点灯状態の切り替えを適切に行うことができる。
【００３７】
また、蛍光灯１７の稼働量が大きい場合には、点灯状態の切替条件を厳しくする。具体的には、蛍光灯１７の切替回数が寿命切替回数に到達していない場合には、電源投入時に蛍光灯１７を直ちに点灯するという切替条件に従って点灯状態を制御し、蛍光灯１７の切替回数が寿命切替回数に到達した場合には、読取要求の入力があった後に蛍光灯１７を点灯するという切替条件に従って点灯状態を制御する。これにより、蛍光灯１７の稼働量が大きく劣化が進んでいると考えられる場合に、点灯状態を切り替える頻度が下げられ、蛍光灯１７の劣化の進行を遅らせることができる。
【００３８】
また、読取動作の非実行時に蛍光灯１７を点灯させる場合に、蛍光灯１７を読取動作時よりも低光量で点灯させることで不要な電力消費を抑えることができる。そして、本実施形態では、蛍光灯１７の稼働量が大きく劣化が進んでいると考えられる場合に、省電力点灯を行わないため、蛍光灯１７の劣化の進行を遅らせることができる。
【００３９】
また、切替条件の変更が行われたことを報知すること（Ｓ１０２）で、動作状態が変更されたことをユーザが把握することができる。
【００４０】
＜実施形態２＞
次に本発明の実施形態２について図５を参照して説明する。図５は、点灯制御処理の流れを示すフローチャートである。なお、フローチャートの大部分は図４のものと同様であるので、図４のフローチャートと共通する部分については同一の符号を付して説明を省略する。
【００４１】
ＣＰＵ３１は、点灯制御処理を開始すると、まず読取動作の実行頻度（蛍光灯の使用頻度の一例）が所定の基準未満であるかを判断する（Ｓ２０１）。なお、ＣＰＵ３１は、ある時点からの読取動作の実行回数をＮＶＲＡＭ３４に記録しており、それに基づいて読取動作の実行頻度を算出する。
【００４２】
そして、読取動作の実行頻度が基準未満の場合（Ｓ２０１：Ｙｅｓ）には、読取要求の入力を待機し（Ｓ１０３）、読取要求の入力後に蛍光灯１７を点灯し（Ｓ１０４）、読取動作を実行する（Ｓ１０５）。また、読取動作の実行頻度が基準以上である場合（Ｓ２０１：Ｎｏ）には、蛍光灯１７を読取動作時の光量で点灯し（Ｓ１０７）、読取要求の入力を待機する（Ｓ１０６）。
【００４３】
そして、ＣＰＵ３１は、読取要求の入力がないままスリープ動作までの待機時間（例えば５分）が経過した場合（Ｓ１０８：Ｙｅｓ）には、読取動作の実行頻度が基準未満かを判断する（Ｓ２０２）。読取動作の実行頻度が基準未満の場合（Ｓ２０２：Ｙｅｓ）には、省電力点灯（スリープ動作）を行い（Ｓ１１０）、３０分経過したか否かの切替条件に基づいて省電力点灯状態及び消灯状態を切り替える短時間点灯モード動作を行う（Ｓ１１１）。また、読取動作の実行頻度が基準以上の場合（Ｓ２０２：Ｎｏ）には、１６時間経過したか否かの切替条件に基づいて通常点灯状態及び消灯状態を切り替える長時間点灯モード動作を行う（Ｓ１１３）。
【００４４】
本実施形態によれば、蛍光灯１７の使用頻度が高い場合には、蛍光灯１７の光量を上げる切替条件を緩和する。即ち、蛍光灯１７の読取頻度が基準以上の場合には、「電源投入時に（読取要求の入力がなくても）直ちに点灯させる」という切替条件で蛍光灯１７を制御する。これにより、ユーザが読取動作を速やかに実行することができる可能性が高くなり、ユーザの利便性を確保することができる。
【００４５】
逆に、蛍光灯１７の使用頻度が低い場合には、蛍光灯１７の光量を上げる切替条件を厳しくする。即ち、蛍光灯１７の読取頻度が基準未満の場合には、「電源投入時に読取要求の入力後に点灯させる」という切替条件に基づいて蛍光灯１７を制御する。これにより、電力消費を抑えることができる。
【００４６】
また、蛍光灯１７の使用頻度が高い場合には、蛍光灯の光量を下げる切替条件を厳しくする。即ち、蛍光灯１７の読取頻度が基準以上の場合には、点灯状態で読取要求の入力がないときに、３０分経過後に消灯するという短時間点灯モードの切替条件でなく、１６時間経過後に消灯するという長時間点灯モードの切替条件で蛍光灯１７を制御する。これにより、ユーザが読取動作を速やかに実行することができる可能性が高くなり、ユーザの利便性を確保することができる。
【００４７】
逆に、蛍光灯の使用頻度が低い場合には、蛍光灯の光量を下げる切替条件を緩和する。即ち、蛍光灯１７の読取頻度が基準未満の場合には、短時間点灯モードの切替条件で蛍光灯１７を制御する。これにより、電力消費を抑えることができる。
【００４８】
＜他の実施形態＞
本発明は上記記述及び図面によって説明した実施形態に限定されるものではなく、例えば次のような実施形態も本発明の技術的範囲に含まれる。
【００４９】
本発明において、蛍光灯の光量を上げる切替条件とは、例えば、蛍光灯を消灯状態から通常点灯状態へ、消灯状態から省電力点灯状態へ、あるいは省電力点灯状態から通常点灯状態へ切り替える切替条件などであり、蛍光灯の光量を下げる切替条件とは、それらの逆の方向への切替条件などである。本発明によれば、これらの切替条件そのものの内容や、それらの切替条件を変更する際の条件は、上記実施形態に示したものに限らず、適宜変更することができる。
【００５０】
例えば、蛍光灯の光量を下げた状態（消灯状態若しくは省電力点灯状態）で待機している際において、稼働量が大きい場合等には、読取要求の入力の後に蛍光灯を通常点灯状態とし、稼働量が小さい場合等には、ユーザが読取要求の入力以外の操作を行った場合（例えば、原稿カバーを開閉させたり、何らかのボタンを操作したりしたことが検知されたような場合）であっても直ちに蛍光灯を通常点灯状態とする（即ち、蛍光灯の光量を上げる切替条件を緩和する）ように構成しても良い。
【００５１】
また、例えば、電源投入後に、蛍光灯の稼働量が基準未満の場合や、読取頻度が基準以上の場合などには、蛍光灯を省電力点灯し、読取要求の入力後に通常点灯状態に切り替えるように構成しても良い。
【００５２】
また、上記実施形態では、本発明を複合機に適用した例を示したが、本発明は、少なくともスキャナ機能を備えた画像読取装置であれば、プリンタ機能、コピー機能やファクシミリ機能を備えていないものにも適用することができる。
【図面の簡単な説明】
【００５３】
【図１】本発明の実施形態１における複合機の外観斜視図
【図２】原稿読取部の要部拡大断面図
【図３】複合機の電気的構成を概略的に示すブロック図
【図４】点灯制御処理の流れを示すフローチャート
【図５】実施形態２における点灯制御処理の流れを示すフローチャート
【符号の説明】
【００５４】
１・・・複合機（画像読取装置）
４・・・操作パネル（報知手段）
１５・・・イメージセンサ（センサ）
１７・・・蛍光灯
３１・・・ＣＰＵ（変更手段、制御手段）
【図１】
0005223246.tif 000002
【図２】
0005223246.tif 000003
【図３】
0005223246.tif 000004
【図４】
0005223246.tif 000005
【図５】
0005223246.tif 000006